【手続補正書】
【提出日】平成25年10月22日(2013.10.22)
【手続補正１】
【補正対象書類名】明細書
【補正対象項目名】０１５２
【補正方法】変更
【補正の内容】
【０１５２】
本明細書に引用したすべての参照文献及び刊行物は、本開示と直接矛盾しうる場合を除いて、それらの全容を本開示に明確に援用するものである。以上、本明細書において特定の実施形態について図示及び説明してきたが、当業者であれば、本開示の範囲から逸脱することなく、様々な代替的及び／又は同等の実施形態を、図示及び説明した特定の実施形態に置き換えることが可能である点は認識されるであろう。本出願は、本明細書において考察した特定の実施形態のあらゆる適合形態又は変形形態を網羅するものである。したがって、本開示は「特許請求の範囲」及びその均等物によってのみ限定されるものとする。
本願発明に関連する発明の実施形態について以下に列挙する。
[実施形態１]
バインダーと、
複数のナノボイドと、を備える、勾配ポリマーフィルムであって、ここで、複数のナノボイドの局所的体積分率が前記勾配ポリマーフィルムの横断面にわたって変化する、勾配ポリマーフィルム。
[実施形態２]
前記局所的体積分率が、前記横断面内の第一方向に沿って本質的に一定を維持する、実施形態１に記載の勾配ポリマーフィルム。
[実施形態３]
前記局所的体積分率が、前記横断面にわたって、第一方向に沿って、及び、前記第一方向と直交する第二方向に沿って、変化する、実施形態１に記載の勾配ポリマーフィルム。
[実施形態４]
前記局所的体積分率が、前記横断面に垂直な厚さ方向において更に変化する、実施形態１に記載の勾配ポリマーフィルム。
[実施形態５]
複数の粒子を更に備える、実施形態１に記載の勾配ポリマーフィルム。
[実施形態６]
前記バインダーと前記複数の粒子の重量比が約１：２以上である、実施形態５に記載の勾配ポリマーフィルム。
[実施形態７]
前記局所的体積分率が、前記横断面にわたってパターンで変化する、実施形態１に記載の勾配ポリマーフィルム。
[実施形態８]
前記パターンがランダムパターンである、実施形態７に記載の勾配ポリマーフィルム。
[実施形態９]
前記パターンが平行なストライプを含む、実施形態７に記載の勾配ポリマーフィルム。
[実施形態１０]
前記パターンが島を含む、実施形態７に記載の勾配ポリマーフィルム。
[実施形態１１]
前記島が配列で配置される、実施形態１０に記載の勾配ポリマーフィルム。
[実施形態１２]
前記局所的体積分率が局所的孔径分布を含む、実施形態１に記載の勾配ポリマーフィルム。
[実施形態１３]
バインダーと、
複数のナノボイドと、を備える勾配ポリマーフィルムであって、ここで、前記勾配ポリマーフィルムの第一領域に近接する複数のナノボイドの第一局所的体積分率が、前記勾配ポリマーフィルムの横断面に沿って、前記第一領域に隣接する第二領域に近接する複数のナノボイドの第二局所的体積分率よりも大きい、勾配ポリマーフィルム。
[実施形態１４]
前記複数のナノボイドの第一局所的体積分率が、前記勾配ポリマーフィルムの横断面に沿って、前記複数のナノボイドの第二局所的体積分率に対して単調に減少する、実施形態１３に記載の勾配ポリマーフィルム。
[実施形態１５]
前記複数のナノボイドの第一局所的体積分率が、前記勾配ポリマーフィルムの横断面に沿って、前記複数のナノボイドの第二局所的体積分率に対して階段状様式で減少する、実施形態１３に記載の勾配ポリマーフィルム。
[実施形態１６]
前記複数のナノボイドの第二局所的体積分率が、前記複数のナノボイドの第一局所的体積分率の５０％未満である、実施形態１３に記載の勾配ポリマーフィルム。
[実施形態１７]
前記複数のナノボイドの第二局所的体積分率が、前記複数のナノボイドの第一局所的体積分率の２０％未満である、実施形態１３に記載の勾配ポリマーフィルム。
[実施形態１８]
前記複数のナノボイドの第二局所的体積分率が、前記複数のナノボイドの第一局所的体積分率の１０％未満である、実施形態１３に記載の勾配ポリマーフィルム。
[実施形態１９]
前記複数のナノボイドの第二局所的体積分率が、前記複数のナノボイドの第一局所的体積分率の１％未満である、実施形態１３に記載の勾配ポリマーフィルム。
[実施形態２０]
前記勾配ポリマーフィルムが、約３０％以上である前記複数のナノボイドの嵩体積分率を有する、実施形態１３に記載の勾配ポリマーフィルム。
[実施形態２１]
複数の粒子を更に備える、実施形態１３に記載の勾配ポリマーフィルム。
[実施形態２２]
前記バインダーと前記複数の粒子の重量比が約１：２以上である、実施形態２１に記載の勾配ポリマーフィルム。
[実施形態２３]
前記バインダーと前記複数の粒子の重量比が約１：１．５以上である、実施形態２１に記載の勾配ポリマーフィルム。
[実施形態２４]
前記複数の粒子の少なくとも一部が、前記バインダーに化学結合する反応性基を含む、実施形態２１に記載の勾配ポリマーフィルム。
[実施形態２５]
前記複数の粒子の少なくとも一部が反応性基を含まない、実施形態２１に記載の勾配ポリマーフィルム。
[実施形態２６]
前記複数の粒子が、約２マイクロメートル以下である平均サイズを有する、実施形態２１に記載の勾配ポリマーフィルム。
[実施形態２７]
前記複数の粒子が、約１マイクロメートル以下である平均サイズを有する、実施形態２１に記載の勾配ポリマーフィルム。
[実施形態２８]
前記複数の粒子が、細長粒子又は球形粒子を含む、実施形態２１に記載の勾配ポリマーフィルム。
[実施形態２９]
前記複数のナノボイドが、約３マイクロメートル以下である平均ボイドサイズを有する、実施形態１３に記載の勾配ポリマーフィルム。
[実施形態３０]
前記複数のナノボイドが、約１マイクロメートル以下である平均ボイドサイズを有する、実施形態１３に記載の勾配ポリマーフィルム。
[実施形態３１]
前記複数のナノボイドが、約０．７マイクロメートル以下である平均ボイドサイズを有する、実施形態１３に記載の勾配ポリマーフィルム。
[実施形態３２]
前記勾配ポリマーフィルム内の複数のナノボイドの嵩体積分率が約４０％以上である、実施形態２０に記載の勾配ポリマーフィルム。
[実施形態３３]
前記勾配ポリマーフィルム内の複数のナノボイドの嵩体積分率が約５０％以上である、実施形態２０に記載の勾配ポリマーフィルム。
[実施形態３４]
前記バインダーと前記複数の粒子の重量比が約１：１以上である、実施形態２１に記載の勾配ポリマーフィルム。
[実施形態３５]
前記バインダーと前記複数の粒子の重量比が約２：１以上である、実施形態２１に記載の勾配ポリマーフィルム。
[実施形態３６]
前記第一領域に近接する前記勾配ポリマーフィルムの有効屈折率が、前記第二領域に近接する前記勾配ポリマーフィルムの屈折率よりも小さい、実施形態１３に記載の勾配ポリマーフィルム。
[実施形態３７]
前記第一領域に近接する前記勾配ポリマーフィルムの屈折率と前記第二領域に近接する前記勾配ポリマーフィルムの屈折率の差が、約０．０１〜約０．２５の範囲内である、実施形態３６に記載の勾配ポリマーフィルム。
[実施形態３８]
前記第一領域に近接する前記勾配ポリマーフィルムの屈折率が約１．３５以下である、実施形態３６に記載の勾配ポリマーフィルム。
[実施形態３９]
前記第一領域に近接する前記勾配ポリマーフィルムの屈折率が約１．２５以下である、実施形態３６に記載の勾配ポリマーフィルム。
[実施形態４０]
前記第一領域に近接する前記勾配ポリマーフィルムの屈折率が約１．２０以下である、実施形態３６に記載の勾配ポリマーフィルム。
[実施形態４１]
前記第一領域に近接する前記勾配ポリマーフィルムの屈折率が約１．１５以下である、実施形態３６に記載の勾配ポリマーフィルム。
[実施形態４２]
前記第一領域が、約２０％以下である光学ヘイズを有する、実施形態１３に記載の勾配ポリマーフィルム。
[実施形態４３]
前記第一領域が、約５０％以上である光学ヘイズを有する、実施形態１３に記載の勾配ポリマーフィルム。
[実施形態４４]
前記第一領域が、約７０％以上である光学ヘイズを有する、実施形態１３に記載の勾配ポリマーフィルム。
[実施形態４５]
前記第一領域が、約８０％以上である光学ヘイズを有する、実施形態１３に記載の勾配ポリマーフィルム。
[実施形態４６]
前記第一領域が、約９０％以上である光学ヘイズを有する、実施形態１３に記載の勾配ポリマーフィルム。
[実施形態４７]
前記第一領域が、約１０％以下である光学的透明度を有する、実施形態１３に記載の勾配ポリマーフィルム。
[実施形態４８]
前記第一領域が、約５％以下である光学的透明度を有する、実施形態１３に記載の勾配ポリマーフィルム。
[実施形態４９]
前記第一領域が、約５０％以上である光学的透明度を有する、実施形態１３に記載の勾配ポリマーフィルム。
[実施形態５０]
前記第一領域が、約７０％以上である光学的透明度を有する、実施形態１３に記載の勾配ポリマーフィルム。
[実施形態５１]
前記第一領域が、約９０％以上である光学的透明度を有する、実施形態１３に記載の勾配ポリマーフィルム。
[実施形態５２]
前記第一領域が、約３０％以上である拡散光反射率を有する、実施形態１３に記載の勾配ポリマーフィルム。
[実施形態５３]
前記第一領域が、約４０％以上である拡散光反射率を有する、実施形態１３に記載の勾配ポリマーフィルム。
[実施形態５４]
前記第一領域が、約５０％以上である拡散光反射率を有する、実施形態１３に記載の勾配ポリマーフィルム。
[実施形態５５]
前記第一領域が、３０％以上である透過率を有する、実施形態１３に記載の勾配ポリマーフィルム。
[実施形態５６]
前記第一局所的体積分率が第一局所的孔径分布を含む、実施形態１３に記載の勾配ポリマーフィルム。
[実施形態５７]
約１マイクロメートル以上である厚さを有する、実施形態１又は実施形態１３に記載の勾配ポリマーフィルム。
[実施形態５８]
約２マイクロメートル以上である厚さを有する、実施形態１又は実施形態１３に記載の勾配ポリマーフィルム。
[実施形態５９]
基材と、
前記基材上に配置される実施形態１又は実施形態１３に記載の勾配ポリマーフィルムと、を備える、光学構造体。
[実施形態６０]
前記基材が、ポリマーフィルム、剥離ライナー、接着剤、体積拡散体、表面拡散体、回折拡散体、屈折拡散体、再帰反射器、吸収偏光子、反射偏光子、繊維偏光子、コレステリック偏光子、多層偏光子、ワイヤグリッド偏光子、部分反射子、体積反射子、多層高分子反射子、金属反射子、金属／誘電体多層反射子、繊維、レンズ、ミクロ構造、中実光ガイド又は中空光ガイドのうちの少なくとも１つを備える、実施形態５９に記載の光学構造体。
[実施形態６１]
前記ミクロ構造が、立方体角部再帰反射器、輝度向上フィルム（ＢＥＦ）、小型レンズ、ゲイン拡散体、光抽出フィルム又は転向フィルムを備える、実施形態６０に記載の光学構造体。
[実施形態６２]
前記勾配ポリマーフィルム又は前記基材の反対面上に配置される光学接着剤層を更に備える、実施形態５９に記載の光学構造体。
[実施形態６３]
前記基材と前記勾配ポリマーフィルムとの間に配置される光学接着剤層を更に備える、実施形態５９に記載の光学構造体。
[実施形態６４]
前記勾配ポリマーフィルムがバルブ非表示フィルムを含む、実施形態５９に記載の光学構造体。
[実施形態６５]
屈折率、ヘイズ、透明度又は透過率のうちの少なくとも１つが前記横断面にわたって変化する、実施形態１又は実施形態１３に記載の勾配ポリマーフィルム。
[実施形態６６]
勾配ポリマーのための方法であって、
基材上に溶液を配置してコーティングを形成する工程であって、前記コーティングが重合性バインダーと溶媒とを含む、工程、
前記コーティングの第一部分を選択的に重合して前記溶媒中に不溶性ポリマーマトリックスを形成する工程、
前記コーティングから前記溶媒の大部分を除去する工程、
前記第一部分に隣接する前記コーティングの第二部分を重合する工程、を含む、方法。
[実施形態６７]
前記重合性バインダーが、紫外（ＵＶ）線硬化性バインダーを含み、選択的に重合する工程が、前記コーティングをマスク越しに紫外線に曝露することを含む、実施形態６６に記載の方法。
【手続補正２】
【補正対象書類名】特許請求の範囲
【補正対象項目名】全文
【補正方法】変更
【補正の内容】
【特許請求の範囲】
【請求項１】
バインダーと、
複数のナノボイドと、を備える、勾配ポリマーフィルムであって、ここで、複数のナノボイドの局所的体積分率が前記勾配ポリマーフィルムの横断面にわたって変化する、勾配ポリマーフィルム。
【請求項２】
バインダーと、
複数のナノボイドと、を備える勾配ポリマーフィルムであって、ここで、前記勾配ポリマーフィルムの第一領域に近接する複数のナノボイドの第一局所的体積分率が、前記勾配ポリマーフィルムの横断面に沿って、前記第一領域に隣接する第二領域に近接する複数のナノボイドの第二局所的体積分率よりも大きい、勾配ポリマーフィルム。
【請求項３】
基材と、
前記基材上に配置される請求項１又は請求項２に記載の勾配ポリマーフィルムと、を備える、光学構造体。
【請求項４】
光ガイド；および
その光ガイド上に配置された勾配ポリマーフィルムを含むパターン付き光ガイドであって、
前記勾配ポリマーフィルムがバインダーと複数のナノボイドとを備え、ここで、前記勾配ポリマーフィルムの第一領域に近接する複数のナノボイドの第一局所的体積分率が、前記勾配ポリマーフィルムの横断面に沿って、前記第一領域に隣接する第二領域に近接する複数のナノボイドの第二局所的体積分率よりも大きい、
パターン付き光ガイド。